(57)【要約】【課題】ドラムテスターを用い、磁気ドラム１の外周に巻き付けられた磁気テープ３と磁気再生ヘッド７の当たり出し（接触）を検出して電気特性を評価する装置において、ノイズの大半を占める振幅性ノイズによる影響を受けることなく、当たり出しを正確に検出（測定）することができるようにする。【解決手段】記録信号発生器４の出力信号１ｆ（すなわち記録信号）を搬送波とし、再生アンプ８の出力信号１ｆ′（すなわち磁気再生ヘッド７の再生信号）を変調用の信号波として周波数変調を行う機能と、該周波数変調した信号と設定周波数信号との偏差を求める機能とを備えた検出部３０を設け、前記偏差出力に応じて磁気再生ヘッド７と磁気テープ３の接触状態を制御し、前記周波数変調された信号をオシロスコープ９およびスペクトラムアナライザー（例えばＴＲ−４１７１）に供給して波形を観察するように構成する。【選択図】　図１
2004118902.tif 000002
【特許請求の範囲】
【請求項１】
磁気記録媒体と、該媒体に記録された情報を再生する磁気ヘッドとの接触状態を検出する磁気ヘッドの接触状態検出装置において、
前記磁気記録媒体に所定周波数の記録信号を記録する記録手段と、
前記記録手段の記録信号を搬送波とし、前記磁気ヘッドの再生信号を変調用の信号波として周波数変調を行う周波数変調手段とを備え、
前記周波数変調手段の出力信号に基づいて、前記磁気ヘッドの接触状態を検出することを特徴とする磁気ヘッドの接触状態検出装置。
【請求項２】
磁気記録媒体と、該媒体に記録された情報を再生する磁気ヘッドとの接触状態を検出する磁気ヘッドの接触状態検出装置において、
前記磁気記録媒体に所定の第１の周波数の記録信号を記録する記録手段と、
前記磁気ヘッドの再生信号を所定の第２の周波数に変換する周波数変換手段と、
前記記録手段の記録信号を搬送波とし、前記周波数変換手段により変換された信号を変調用の信号波として周波数変調を行う周波数変調手段とを備え、
前記周波数変調手段の出力信号に基づいて、前記磁気ヘッドの接触状態を検出することを特徴とする磁気ヘッドの接触状態検出装置。
【請求項３】
前記周波数変調手段の出力信号に基づいて前記磁気ヘッドの電気特性を評価する評価手段を備えたことを特徴とする請求項１に記載の磁気ヘッドの接触状態検出装置。
【請求項４】
前記周波数変調手段の出力信号に基づいて前記磁気ヘッドの電気特性を評価する評価手段を備えたことを特徴とする請求項２に記載の磁気ヘッドの接触状態検出装置。
【請求項５】
前記周波数変調手段の出力信号の周波数と設定周波数との偏差を求め、該偏差に応じて前記磁気記録媒体と磁気ヘッドの接触状態を制御する接触状態制御手段を備えたことを特徴とする請求項１に記載の磁気ヘッドの接触状態検出装置。
【請求項６】
前記周波数変調手段の出力信号の周波数と設定周波数との偏差を求め、該偏差に応じて前記磁気記録媒体と磁気ヘッドの接触状態を制御する接触状態制御手段を備えたことを特徴とする請求項２に記載の磁気ヘッドの接触状態検出装置。
【請求項７】
前記周波数変調手段の出力信号の周波数と設定周波数との偏差を求め、該偏差に応じて前記磁気記録媒体と磁気ヘッドの接触状態を制御する接触状態制御手段を備えたことを特徴とする請求項３に記載の磁気ヘッドの接触状態検出装置。
【請求項８】
前記周波数変調手段の出力信号の周波数と設定周波数との偏差を求め、該偏差に応じて前記磁気記録媒体と磁気ヘッドの接触状態を制御する接触状態制御手段を備えたことを特徴とする請求項４に記載の磁気ヘッドの接触状態検出装置。
【請求項９】
前記磁気ヘッドの再生信号を増幅する増幅手段を備えたことを特徴とする請求項１に記載の磁気ヘッドの接触状態検出装置。
【請求項１０】
前記磁気ヘッドの再生信号を増幅する増幅手段を備えたことを特徴とする請求項２に記載の磁気ヘッドの接触状態検出装置。
【請求項１１】
外周面にテープ状磁気記録媒体が巻き付けられた状態で回転する回転ドラムを備えたことを特徴とする請求項１に記載の磁気ヘッドの接触状態検出装置。
【請求項１２】
外周面にテープ状磁気記録媒体が巻き付けられた状態で回転する回転ドラムを備えたことを特徴とする請求項２に記載の磁気ヘッドの接触状態検出装置。
【請求項１３】
磁気記録媒体と、該媒体に記録された情報を再生する磁気ヘッドとの接触状態を検出する磁気ヘッドの接触状態検出方法において、
前記磁気記録媒体に所定周波数の記録信号を記録する記録ステップと、
前記記録ステップの記録信号を搬送波とし、前記磁気ヘッドの再生信号を変調用の信号波として周波数変調を行う周波数変調ステップとを備え、
前記周波数変調ステップで変調された被変調波信号に基づいて、前記磁気ヘッドの接触状態を検出することを特徴とする磁気ヘッドの接触状態検出方法。
【請求項１４】
磁気記録媒体と、該媒体に記録された情報を再生する磁気ヘッドとの接触状態を検出する磁気ヘッドの接触状態検出方法において、
前記磁気記録媒体に所定の第１の周波数の記録信号を記録する記録ステップと、
前記磁気ヘッドの再生信号を所定の第２の周波数に変換する周波数変換ステップと、
前記記録ステップの記録信号を搬送波とし、前記周波数変換ステップにより変換された信号を変調用の信号波として周波数変調を行う周波数変調ステップとを備え、
前記周波数変調ステップで変調された被変調波信号に基づいて、前記磁気ヘッドの接触状態を検出することを特徴とする磁気ヘッドの接触状態検出方法。
【請求項１５】
前記周波数変調ステップで変調された被変調波信号と設定周波数信号との偏差を求め、該偏差に応じて前記磁気記録媒体と磁気ヘッドの接触状態を制御する接触状態制御ステップを備えたことを特徴とする請求項１３に記載の磁気ヘッドの接触状態検出方法。
【請求項１６】
前記周波数変調ステップで変調された被変調波信号と設定周波数信号との偏差を求め、該偏差に応じて前記磁気記録媒体と磁気ヘッドの接触状態を制御する接触状態制御ステップを備えたことを特徴とする請求項１４に記載の磁気ヘッドの接触状態検出方法。
【請求項１７】
前記接触状態制御ステップは、
前記周波数変調ステップで周波数変調された被変調波信号の周波数が、前記搬送波の周波数と同一である期間に、前記磁気ヘッドを磁気記録媒体側へ第１の速度で移動させる第１の移動制御ステップと、
前記被変調波信号の周波数が、前記搬送波の周波数と異なる周波数となってから前記設定周波数となるまでの期間に、前記磁気ヘッドを前記第１の速度よりも遅い第２の速度で磁気記録媒体側へ移動させる第２の移動制御ステップと、
前記被変調波信号の周波数が前記設定周波数を超えたときに前記磁気ヘッドの移動を停止する移動停止制御ステップと
を備えたことを特徴とする請求項１５に記載の磁気ヘッドの接触状態検出方法。
【請求項１８】
前記接触状態制御ステップは、
前記周波数変調ステップで周波数変調された被変調波信号の周波数が、前記搬送波の周波数と同一である期間に、前記磁気ヘッドを磁気記録媒体側へ第１の速度で移動させる第１の移動制御ステップと、
前記被変調波信号の周波数が、前記搬送波の周波数と異なる周波数となってから前記設定周波数となるまでの期間に、前記磁気ヘッドを前記第１の速度よりも遅い第２の速度で磁気記録媒体側へ移動させる第２の移動制御ステップと、
前記被変調波信号の周波数が前記設定周波数を超えたときに前記磁気ヘッドの移動を停止する移動停止制御ステップと
を備えたことを特徴とする請求項１６に記載の磁気ヘッドの接触状態検出方法。
【発明の詳細な説明】
【０００１】
【発明の属する技術分野】
本発明は、例えば磁気テープと磁気ヘッドの電気特性を評価するために用いられる磁気ヘッドの接触状態検出装置および接触状態検出方法に関する。
【０００２】
【従来の技術】
磁気記録技術において、磁気テープと磁気ヘッドの電気特性を評価する装置として、例えばドラムテスターが使用されている（例えば、特許文献１参照。）。
【０００３】
【特許文献１】
特開２００１−３３１９１４号公報。
【０００４】
この場合磁気ヘッドと磁気テープの接触状態（当たり）を適正にすることが磁気記録評価において特に重要である。その操作中に過分な力を磁気テープに与えてしまうと、磁性面に傷が付き測定不能に陥る。このため当たり出し操作には習熟度が要求される。この最適な当たり出し部分（当たり、接触点）を検出する方法を以下に述べる。
【０００５】
図７はドラムテスターを用いた従来のヘッド当たり出しの装置構成の一例を示している。図７において、１は、装置本体中央部に配設されたスピンドルモータ２に取り付けられた、回転可能な円筒状の磁気ドラムである。
【０００６】
この磁気ドラム１の外周には磁気テープ３が巻き付けられている。磁気ドラム１の径方向片側には、記録信号発生器４、例えばＨＰ３３２５０Ａ型からの信号を供給した磁気記録アンプ５と、記録ヘッド６が配設されている。磁気ドラム１の径方向他方側には、磁気再生ヘッド７と再生アンプ８が配設されその出力側はオシロスコープ９、例えばＴＤＳ５２０の入力端子９ｉに接続されている。
【０００７】
Ｘ軸ステージ１０に取り付けられたモーター１１によって磁気テープ３に対向する磁気再生ヘッド７を前進、後退させて、磁気テープ３と磁気再生ヘッド７の当たり具合（接触状態）を調整する。１２はモーター１１を駆動制御するサーボアンプである。
【０００８】
磁気テープ３は一定速度で回転する磁気ドラム１の外周を所定速度で走行し、この状態で記録ヘッド６を磁気テープ３に接触することによって磁気記録信号が書き込まれる。
【０００９】
磁気テープ３に書き込まれた磁気記録信号は、磁気再生ヘッド７を磁気テープ３に接触させることにより、弱小信号として感知され、再生アンプ８によって検出可能なレベルまで増幅される。
【００１０】
こうして得られた再生信号をオシロスコープ９によって観察する。オシロスコープ９の表示管面は磁気テープ３と磁気再生ヘッド７が接触していない時、すなわち「当たり無し」の状態の波形は当たり無し１３Ｂのように再生出力はゼロでノイズのみが表示される。また最適に当たった時は当たり有り１３Ａ（拡大波形１３Ｌ）が表示される。
【００１１】
図８は、ドラムテスターのテープとヘッドが当たる部分の図で磁気ドラム１の断面を示している。図８では磁気テープ３に対し磁気ヘッド６，７が当たる寸前（当たり無しの状態）を示している。
【００１２】
図９は当たり無しから当たり有りまでの再生出力と突き出し位置との関係を示している。最適当たりとは図示Ａのように最大出力、かつ平坦になった部分を言う。この位置から更に突き出しても出力は減少し、更に突き出すとテープ磁性面は破壊し出力は激減する。
【００１３】
【発明が解決しようとする課題】
前記従来の磁気記録再生法においては、記録信号と再生信号が同一であるため、装置周辺から侵入する、記録した信号ではない不要信号、例えばパソコンのクロック、フロッピーディスク（登録商標）、携帯電話などが動作する時に発生する不要な信号とを弁別することができないため、当たりが見えない。これはヘッド出力が微小の場合顕著に表れる。
【００１４】
図１０は従来の当たり波形の図であり、不要信号が無い、あるいは少ない場合の当たり出しの波形を表している。オシロスコープ９の管面の左側部分は当たり無し１３Ｂの部分でありノイズのみが表示され、右側部分は当たり有り１３Ａの部分で拡大波形１３Ｌのようにきれいな波形が表示される。
【００１５】
また同じ再生信号をスペクトラムアナライザー２０に接続しゼロスパンで表示させると、当たり有り波形２１Ａのように平坦な直線の波形が表示される。これが正常な波形である。
【００１６】
図１１は不要信号が混入した、あるいは信号が重畳した時の当たり波形の図である。オシロスコープ９の管面の左側部分は当たり無し２２Ｂの部分であるが、不要信号が表示されている。また右側部分は当たり有り２２Ａの部分であり、拡大波形２２Ｌのように本来の再生信号に複数の不要信号が重なって表示される。
【００１７】
またスペクトラムアナライザーの当たり有り波形２３Ａは、複数の同じ周波数の信号が表示されるので、位相がずれた分だけリップルとして表示され水平の直線にはならない。このような波形では、再生信号なのか不要信号なのか弁別できないので当たり出しも不可能になる。
【００１８】
本発明は上記の点に鑑みてなされたものでその目的は、磁気記録媒体と磁気ヘッドの当たり出し（接触した場所を求める）を検出して最適当たり出しを行うことができる磁気ヘッドの接触状態検出装置および接触状態検出方法を提供することにある。
【００１９】
【課題を解決するための手段】
本発明の磁気ヘッドの接触状態検出装置は、磁気記録媒体と、該媒体に記録された情報を再生する磁気ヘッドとの接触状態を検出する磁気ヘッドの接触状態検出装置において、前記磁気記録媒体に所定周波数の記録信号を記録する記録手段と、前記記録手段の記録信号を搬送波とし、前記磁気ヘッドの再生信号を変調用の信号波として周波数変調を行う周波数変調手段とを備え、前記周波数変調手段の出力信号に基づいて、前記磁気ヘッドの接触状態を検出することを特徴としている。
【００２０】
また、磁気記録媒体と、該媒体に記録された情報を再生する磁気ヘッドとの接触状態を検出する磁気ヘッドの接触状態検出装置において、前記磁気記録媒体に所定の第１の周波数の記録信号を記録する記録手段と、前記磁気ヘッドの再生信号を所定の第２の周波数に変換する周波数変換手段と、前記記録手段の記録信号を搬送波とし、前記周波数変換手段により変換された信号を変調用の信号波として周波数変調を行う周波数変調手段とを備え、前記周波数変調手段の出力信号に基づいて、前記磁気ヘッドの接触状態を検出することを特徴としている。
【００２１】
また前記周波数変調手段の出力信号に基づいて前記磁気ヘッドの電気特性を評価する評価手段を備えたことを特徴としている。
【００２２】
また前記周波数変調手段の出力信号の周波数と設定周波数との偏差を求め、該偏差に応じて前記磁気記録媒体と磁気ヘッドの接触状態を制御する接触状態制御手段を備えたことを特徴としている。
【００２３】
また前記磁気ヘッドの再生信号を増幅する増幅手段を備えたことを特徴としている。
【００２４】
また外周面にテープ状磁気記録媒体が巻き付けられた状態で回転する回転ドラムを備えたことを特徴としている。
【００２５】
また本発明の磁気ヘッドの接触状態検出方法は、磁気記録媒体と、該媒体に記録された情報を再生する磁気ヘッドとの接触状態を検出する磁気ヘッドの接触状態検出方法において、前記磁気記録媒体に所定周波数の記録信号を記録する記録ステップと、前記記録ステップの記録信号を搬送波とし、前記磁気ヘッドの再生信号を変調用の信号波として周波数変調を行う周波数変調ステップとを備え、
前記周波数変調ステップで変調された被変調波信号に基づいて、前記磁気ヘッドの接触状態を検出することを特徴としている。
【００２６】
また、磁気記録媒体と、該媒体に記録された情報を再生する磁気ヘッドとの接触状態を検出する磁気ヘッドの接触状態検出方法において、前記磁気記録媒体に所定の第１の周波数の記録信号を記録する記録ステップと、前記磁気ヘッドの再生信号を所定の第２の周波数に変換する周波数変換ステップと、前記記録ステップの記録信号を搬送波とし、前記周波数変換ステップにより変換された信号を変調用の信号波として周波数変調を行う周波数変調ステップとを備え、前記周波数変調ステップで変調された被変調波信号に基づいて、前記磁気ヘッドの接触状態を検出することを特徴としている。
【００２７】
また前記周波数変調ステップで変調された被変調波信号と設定周波数信号との偏差を求め、該偏差に応じて前記磁気記録媒体と磁気ヘッドの接触状態を制御する接触状態制御ステップを備えたことを特徴としている。
【００２８】
また前記接触状態制御ステップは、前記周波数変調ステップで周波数変調された被変調波信号の周波数が、前記搬送波の周波数と同一である期間に、前記磁気ヘッドを磁気記録媒体側へ第１の速度で移動させる第１の移動制御ステップと、前記被変調波信号の周波数が、前記搬送波の周波数と異なる周波数となってから前記設定周波数となるまでの期間に、前記磁気ヘッドを前記第１の速度よりも遅い第２の速度で磁気記録媒体側へ移動させる第２の移動制御ステップと、前記被変調波信号の周波数が前記設定周波数を超えたときに前記磁気ヘッドの移動を停止する移動停止制御ステップとを備えたことを特徴としている。
【００２９】
【発明の実施の形態】
以下、本発明の実施の形態を説明する。図１において図７と同一部分は同一符号をもって示している。図１において図７と異なる点は、記録信号発生器４の出力信号１ｆ（すなわち記録信号）を搬送波とし、再生アンプ８の出力信号１ｆ′（すなわち磁気再生ヘッド７の再生信号）を変調用の信号波として周波数変調を行う機能と、該周波数変調した信号と設定周波数信号との偏差を求める機能とを備えた検出部３０を設け、前記偏差出力に応じて磁気再生ヘッド７と磁気テープ３の接触状態を制御し、前記周波数変調された信号をオシロスコープ９およびスペクトラムアナライザー（例えばＴＲ−４１７１）に供給して波形を観察するように構成した点にあり、その他の部分は図７と同様に構成されている。
【００３０】
検出部３０の、周波数変調を行う部分の回路構成は図２のとおりである。検出部３０の減衰器３１は、記録信号入力端子３０ａから入力された記録信号発生器４の信号１ｆを、次段の間接周波数変調部３２が飽和しないレベルまで減衰する。間接周波数変調部３２は、減衰器３１の出力信号が搬送波として導入される位相変調回路３２ａと、磁気再生ヘッド７の出力を増幅し周波数変換した信号が信号波として導入される積分回路３２ｂとを有している。
【００３１】
前記再生アンプ８からの微弱な信号１ｆ′は、再生信号入力端子３０ｂを介して再生アンプ３３に入力され、さらに増幅される。３４は、再生アンプ３３の出力信号１ｆ′と局部発振器３５の出力信号２ｆとで新たな周波数成分３ｆを得る（３ｆ＝１ｆ′±２ｆ）周波数変換回路である。
【００３２】
周波数変換回路３４の出力信号は、低域濾波器（低域フィルタ）３６を通して前記間接周波数変調部３２の積分回路３２ｂに入力される。積分回路３２ｂは入力信号周波数に反比例して出力信号波を小さくし、位相変調回路３２ａへ与えることによって周波数変調波５２が得られる。
【００３３】
前記間接周波数変調部３２の具体的な回路は例えば図３のように構成される。図３において、トランジスタＴｒのコレクタはコイルＬ１および抵抗Ｒ１を並列に介して直流電源ＤＣ＋に接続され、エミッタは安定化用の抵抗Ｒ２およびコンデンサＣ１を並列に介して接地されている。トランジスタＴｒのベースはコンデンサＣ２を介して前記減衰器３１に接続されている。Ｒ３およびＣ３は積分回路を構成する抵抗、コンデンサであり、該抵抗Ｒ３の一端は前記低域濾波器３６に接続されている。前記抵抗Ｒ３およびコンデンサＣ３の共通接続点は、抵抗Ｒ４を介してトランジスタＴｒのベースに接続されるとともに、抵抗Ｒ５を介して前記直流電源ＤＣ＋に接続されている。前記トランジスタＴｒのコレクタとコイルＬ１の共通接続点は、コンデンサＣ４を介して変調出力端子３０ｃに接続されている。
【００３４】
本実施形態例における搬送波５０、信号波５１、被変調波５２の各波形は図４のとおりである。すなわち搬送波５０は前記記録信号発生器４の出力信号波形である。また信号波５１は、前記再生アンプ８の信号をさらに増幅し周波数変換した信号の波形である。これらの信号により周波数変調を行うことによって被変調波５２（間接周波数変調部３２の出力）が得られ、これが本発明の装置、方法の検出原理となる信号である。
【００３５】
位相変調波の位相変調指数Δθ、変調周波数（変調するための信号波の周波数）ｆｓ、周波数偏移分Δｆとの間には、Δθ＝Δｆ／ｆｓなる関係があるため、周波数偏移分ΔｆはΔｆ＝Δθ・ｆｓで得られる。
【００３６】
したがって本実施形態例では、間接周波数変調部３２の出力から周波数偏移分Δｆを求める周波数計測回路３７を設け、比較値設定回路３８で周波数変調の偏移量の幅を設定しておき、比較回路（デジタルコンパレータ）３９によって、前記Δｆと設定値との偏差をとる。
【００３７】
そして比較回路３９の出力を、検波・ＤＣアンプ回路４０およびサーボアンプ１２を介して、当たり調整軸に取り付けられたモーター１１をスタート、あるいは停止させる信号（磁気再生ヘッド７の動きを制御する信号）として用いる。
【００３８】
オシロスコープ９の表示管面はテープとヘッドが接触していない時、すなわち「当たり無し」の状態の波形は当たり無し５０Ｂのように再生出力の波長は例えば単一波長（図では３波長）が表示され、最適に当たった時は当たり有り５０Ａのように、より短い波長とより長い波長が混合されて表示される。
【００３９】
この装置の当たり出しの検出原理は、「当たり無し」状態の単一波長と、「当たり有り」状態の混合されて表示される波長とを弁別してこれを当たり始めの信号とし（当たりの有無の境界部分と判定する）、「当たり有り」混合波長の偏移周波数の幅が最大値になったところを最適当たり出しの位置とするものである。
【００４０】
不要信号混入時の当たり有り／無しの信号レベル差を図５に示す。図５（ａ）は従来方式により検出した波形であり、図５（ｂ）は本発明方式により検出した波形である。
【００４１】
図５によれば、不要信号と再生信号の差は、従来方式（図５（ａ））では例えば６ｄＢしかないのに対し、本発明方式（図５（ｂ））では４０ｄＢまで広がり、両者の差は明確となっているのがわかる。
【００４２】
また従来方式（図５（ａ））では最適値が不明瞭な部分が存在するのに対し、本発明方式（図５（ｂ））では最適値は明瞭になっている。
【００４３】
次に本発明を適用して最適当たり出し位置で磁気ヘッドを停止させる方法の実施形態例を説明する。前記間接周波数変調部３２から出力される信号（被変調波信号）を周波数計測回路３７で計測すると、「当たり無し」の時は無変調なので搬送波だけの一定の周波数だけが得られる。
【００４４】
また「当たり有り」の時には、磁気再生ヘッドからの再生信号により周波数変調されて、搬送波に対してΔｆだけ偏移する信号が得られる。あらかじめ比較値設定回路３８により設定した偏移周波数の幅よりも変化値が多い場合に磁気再生ヘッドが磁気記録媒体に接触（当たり）したと判断する。「最適当たり出し」の位置は偏移値Δｆが最大になったところとする。
【００４５】
具体的な制御手順は図６のとおりである。すなわちまずステップＳ１，Ｓ２において、前記被変調波信号の周波数が搬送波周波数以外の周波数になるまでの期間、磁気再生ヘッド７を磁気テープ３側へ高速前進させる。
【００４６】
次にステップＳ３，Ｓ４において、周波数偏移が有ったときから、その周波数偏移分が設定値（偏移周波数の幅）よりも大きくなるまでの期間、磁気再生ヘッド７を磁気テープ３側へ低速で前進させる。
【００４７】
そして前記周波数偏移分が前記設定値よりも大きくなったら、最適当たり有りとみなしてモーター１１を停止させる（ステップＳ５）。
【００４８】
尚、モーター１１はＸ軸ステージ１０を前進あるいは後退させて磁気再生ヘッドをテープ面に接触させる為のものであり、Ｘ軸を移動させることができれば、他のものでも良く、リニヤーモーターやピエゾ素子を用いても構わない。そのように構成した場合、Ｘ軸の送りネジが不要となりバックラッシュが減少して運動精度が向上する。
【００４９】
尚本発明は、磁気テープ以外の他の磁気記録媒体と磁気ヘッドの電気特性を評価する装置、方法にも適用することができる。
【００５０】
【発明の効果】
（１）以上のように請求項１〜１８に記載の発明によれば、周波数変調を行っているので、ノイズの大半を占める振幅性ノイズによる影響を受けることなく、磁気記録媒体と磁気ヘッドの接触（当たり出し）を正確に検出（測定）することができる。
（２）また請求項２、４、６、８、１０、１２、１４、１６、１８に記載の発明によれば、磁気ヘッドの再生信号に対して周波数変換を施しているので、記録信号周波数に近い外部からのノイズや不要信号による影響を回避することができ、磁気記録媒体と磁気ヘッドの接触（当たり出し）をより正確に検出（測定）することができる。
（３）また請求項３、４、７、８に記載の発明によれば、磁気ヘッドの電気特性を正確に評価することができる。
（４）また請求項５、６、７、８、１５、１６、１７、１８に記載の発明によれば、操作の習熟度を必要とすることなく、磁気記録媒体と磁気ヘッドの接触状態（当たり具合）を適正に調整することができる。
（５）また請求項９、１０に記載の発明によれば、磁気ヘッドの再生信号が微弱であっても、磁気記録媒体と磁気ヘッドの接触（当たり出し）を正確に検出（測定）することができる。
（６）また請求項１７、１８に記載の発明によれば、磁気記録媒体と磁気ヘッドの接触（当たり出し）を効率良く検出（測定）することができる。
【図面の簡単な説明】
【図１】本発明の一実施形態例の全体構成図。
【図２】本発明の一実施形態例の要部ブロック図。
【図３】本発明の一実施形態例の要部回路図。
【図４】本発明の一実施形態例における各部の信号波形図。
【図５】不要信号混入時の信号波形図を表し、（ａ）は従来方式による信号波形図、（ｂ）は本発明方式による信号波形図。
【図６】本発明の一実施形態例を表し、最適当たり出し位置の停止方法を示すフローチャート。
【図７】従来のドラムテスターによるヘッド当たり出し検出装置の一例を示す構成図。
【図８】ドラムテスターにおけるヘッド当たりの説明図。
【図９】ドラムテスターにおける磁気再生ヘッドの出力電圧と突き出し距離との関係を示す特性図。
【図１０】従来装置で測定した信号波形を表し、正常時の当たり波形を示す信号波形図。
【図１１】従来装置で測定した信号波形を表し、不要信号が混入した時の当たり波形を示す信号波形図。
【符号の説明】
１…磁気ドラム、２…スピンドルモーター、３…磁気テープ、４…記録信号発生器、５…記録アンプ、６…記録ヘッド、７…磁気再生ヘッド、８，３３…再生アンプ、９…オシロスコープ、１０…Ｘ軸ステージ、１１…モーター、１２…サーボアンプ、２０…スペクトラムアナライザー、３０…検出部、３１…減衰器、３２…間接周波数変調部、３２ａ…位相変調回路、３２ｂ…積分回路、３４…周波数変換回路、３５…局部発振器、３６…低域濾波器、３７…周波数計測回路、３８…比較値設定回路、３９…比較回路、４０…検波・ＤＣアンプ、５０…搬送波、５１…信号波、５２…被変調波。
【図１】
2004118902.tif 000003
【図２】
2004118902.tif 000004
【図３】
2004118902.tif 000005
【図４】
2004118902.tif 000006
【図５】
2004118902.tif 000007
【図６】
2004118902.tif 000008
【図７】
2004118902.tif 000009
【図８】
2004118902.tif 000010
【図９】
2004118902.tif 000011
【図１０】
2004118902.tif 000012
【図１１】
2004118902.tif 000013